(57)【要約】【課題】平板型表示装置の傾斜角度を遠隔操作によって調整可能とする。【解決手段】ＬＣＤ１４の背面側にある壁に沿って、平板状部２ａ、２ｂを配置し、ＬＣＤ１４の表示画面が前記壁とほぼ平行にある状態において、ＬＣＤ１４の下部を、それの表示画面の水平方向に沿う軸の回りに回転自在に支持するように平板状部２ｂに支持部１６を設け、ＬＣＤ１４の垂直方向に沿って進退可能に、ギアボックス６を平板状部２ａ、２ｂ間に設け、ギアボックス６にアーム８の一端が結合され、アーム８の他端がＬＣＤ１４に結合されている。【選択図】        図１
2004336603.tif 000002
【特許請求の範囲】
【請求項１】
平板型表示装置の背面側にある壁に沿って配置された平板状の固定部と、
前記表示装置の表示画面が前記壁とほぼ平行にある状態において、前記表示装置の下部を、それの表示画面の水平方向に沿う軸の回りに回転自在に支持するように上記固定部に設けられた支持部と、
前記表示画面の垂直方向に沿って進退可能に、前記固定部に設けられた自走式駆動部と、
この自走式駆動部に一端が結合され、他端が前記表示装置に結合されているアームとを、
有する平板型表示装置の壁掛け装置。
【請求項２】
請求項１記載の平板型表示装置の壁掛け装置において、前記表示装置が前記固定部に対して所定角度をなす傾斜状態において、前記駆動部が前記表示装置の上部よりも下方にある上昇点と、前記表示装置が前記固定部に平行な垂直状態において、前記上昇点よりも下方で前記表示装置の下部よりも上方にある下降点との間を、前記駆動装置が昇降する平板型表示装置の壁掛け装置。
【請求項３】
請求項１記載の平板型表示装置の壁掛け装置において、前記駆動装置は、前記垂直方向に沿って形成されたラックに噛み合う平歯車を有し、この平歯車は、モータにウオームとウオームギヤを介して結合されている平板型表示装置の壁掛け装置。
【請求項４】
請求項２記載の平板型表示装置の壁掛け装置において、前記アームとは別のアームの中途が前記固定部の一部に回転自在に結合され、前記別のアームの一端部が前記表示装置に結合され、前記傾斜状態において、前記別のアームの他端部が前記固定部の別の場所に接触している平板型表示装置の壁掛け装置。
【発明の詳細な説明】
【０００１】
【発明の属する技術分野】
本発明は、例えばプラズマディスプレイパネルや液晶表示装置のような平板型表示装置を、壁等に掛ける壁掛け装置に関する。
【０００２】
【従来の技術】
平板型表示装置の壁掛け装置としては、例えば特許文献１に示されているようなものがある。
【０００３】
【特許文献１】
特開２００２−１５２６２８号公報
【０００４】
特許文献１に開示されている壁掛け装置では、壁に固定される固定サポートと、平板型表示装置が取り付け可能な傾動サポートとが設けられている。固定サポートの上端部と、傾動サポートの上端部とが連結サポートによって結合されている。固定サポートと連結サポートの一端部との結合は、連結ピンによって行われている。固定サポートの下端部には傾動サポートの下端部が連結軸によって結合されている。傾動サポートの上端部と連結サポートの他端部との結合は、調整軸を介して行われている。即ち、前記調整軸は、傾動サポートの軸方向に設けたノッチ付きガイド溝内に、刻み送り可能に係合させることによって行われており、傾動サポートの傾き調整は、調整軸のガイド溝への嵌合位置を変えることによって行われている。
【０００５】
【発明が解決しようとする課題】
しかし、この壁掛け装置では、平板型表示装置の傾きを調整する場合、調整軸のガイド溝への嵌合位置を一々変更しなければならない。そのため、視聴者は、平板型表示装置の傾きを変更したい場合には、平板型表示装置の背面側にある壁掛け装置の位置まで移動して、調整軸のガイド溝への嵌合位置を変更しなければらならず、その作業が面倒である。近年、テレビジョン受像機のリモートコントロール装置による遠隔操作が行われるようになっている。従って、壁掛けされた平板型表示装置において、その傾斜角度も遠隔操作によって調整できるようにすることが望まれている。
【０００６】
本発明は、遠隔操作が可能な平板型表示装置の壁掛け装置を提供することを目的とする。
【０００７】
【課題を解決するための手段】
本発明による平板型表示装置の壁掛け装置は、平板型表示装置の背面側にある壁に沿って配置された平板状の固定部を有している。この固定部は、壁に固定する必要はなく、例えば天井から吊り下げることも可能である。表示装置の表示画面が前記壁とほぼ平行にある状態において、表示装置の下部を、表示装置の表示画面の水平方向に沿う軸の回りに回転自在に支持する支持部が上記固定部に設けられている。前記表示画面の垂直方向に沿って進退可能に自走式駆動部が前記固定部に設けられている。この自走式駆動部にアームの一端が固定され、アームの他端が表示装置に結合されている。
【０００８】
このように構成された壁掛け装置では、自走式駆動部が垂直方向に沿って自走することによって、アームの一端の位置が昇降する。これに連れて、アームの他端が支持部を回転の中心として円弧運動をする。従って、平板型表示装置が固定部に対してなす角度が変化する。自走式駆動部は、例えば内蔵するモータによって駆動することができるので、遠隔操作を容易に行うことができる。
【０００９】
前記表示装置が前記固定部に対して所定角度をなす傾斜状態において、前記駆動部が前記表示装置の上部よりも下方にある上昇点と、前記表示装置が前記固定部に平行な垂直状態において、前記上昇点よりも下方で前記表示装置の下部よりも上方にある下降点との間を、昇降するように、前記駆動装置を設けることもできる。
【００１０】
このように構成すると、表示装置の傾斜角度を変化させる間に、外部から自走式駆動部が見えることがなく、美観を損なうことがない。
【００１１】
更に、前記アームとは別のアームの中途を前記固定部の一部に回転自在に結合し、それの一端部を前記表示装置に結合し、前記傾斜状態において、前記別のアームの他端部が前記固定部の別の場所に接触するように構成することもできる。
【００１２】
このように構成した場合、表示装置の重量が別のアームの一端部にかかり、当該別のアームを回転させようとするが、別のアームの他端部が固定部に接触しているので、別のアームは回転しない。従って、アームが回り止めとして機能し、表示装置が傾斜状態よりも更に自動的に傾斜することを防止できる。
【００１３】
最初に述べた態様において、前記駆動装置は、前記垂直方向に沿って形成されたラックに噛み合う平歯車を有し、この平歯車は、内蔵するモータにウオームとウオームギヤを介して結合されているものとすることもできる。
【００１４】
このように構成すると、モータにウオームとウオームギヤとを介して平歯車が結合されているので、表示装置の重量によってモータが自然に回転することがなく、所定の角度に表示装置を傾斜させた状態を維持することができる。
【００１５】
【発明の実施の形態】
本発明の１実施形態の壁掛け装置は、図１に示すように、家屋内の側壁等に取り付けられた固定部２を有している。固定部２は、例えば上下方向に所定の間隔をあけて水平に配置された２つの平板状部２ａ、２ｂからなる。なお、平板状部２ａ、２ｂは、側壁に直接に取り付けることもできるが、この他に、天井等から吊り下げることもできる。
【００１６】
平板状部２ａ、２ｂの間には、平板状部２ａ、２ｂの長さ方向に間隔をおいて柱状部３ａ、３ｂが形成されている。これら柱状部３ａ、３ｂの内画面に、ラック４ａ、４ｂが、柱状部３ａ、３ｂの長さ方向に沿って配置されている。これらラック４ａ、４ｂは、平板状部２ａ、２ｂにほぼ垂直に配置され、互いに対向するように配置されている。
【００１７】
ラック４ａ、４ｂの間に、自走式駆動部、例えばギアボックス６が配置されている。ギアボックス６は、図２に示すように、ラック４ａ、４ｂに噛み合う歯車、例えばピニオン６ａ、６ｂを有している。ギアボックス６内には、電気モータ（図示せず）が配置されている。このモータの回転軸にウオームが取り付けられている。ウオームには、ウオームギアが噛み合っている。このウオームギアは、平歯車６ａ、６ｂが互いに反対方向に回転するように、更に複数の歯車を介してピニオン６ａ、６ｂに噛み合っている。従って、ギアボックス６は、モータの回転方向を正転、逆転させることによって、ラック４ａ、４ｂに沿って昇降する。
【００１８】
なお、ギアボックス６内には、クラッチが設けられている。このクラッチは、同一直線上に同心に配置され、それぞれ別個の軸に支持された２つの歯車を有し、これら歯車間に、一方の歯車の回転を他方の歯車に伝達させるための回転伝達体、例えばグリスを有している。そして、他方の歯車側に機械的な拘束が加わったとき、グリスの作用によって両歯車間での回転の伝達が中止され、ギアボックスの上昇または下降が停止される。また、機械的な拘束が解かれると、両歯車間での回転の伝達がグリスによって行われる。
【００１９】
ギアボックス６の正面の両側には、ギアボックス６よりも幾分正面側に突出した状態でアーム８ａ、８ｂが配置されている。これらアーム８ａ、８ｂには、その下端部から中途まで、それらの長さ方向に沿って長孔１０ａ、１０ｂが形成されている。これら長孔１０ａ、１０ｂの下端には、ギアボックス６に固定された駆動ピン１２ａ、１２ｂが挿通されている。これら駆動ピン１２ａ、１２ｂは、長孔１０ａ、１０ｂの長縁間の距離よりも幾分小さい直径を持つものである。即ち、駆動ピン１２ａ、１２ｂは、長孔１０ａ、１０ｂに遊嵌されている。
【００２０】
これらアーム８ａ、８ｂの先端は、図３及び図４に示すように、平板型表示装置、例えばＬＣＤ１４の背面に金具１５、１５を介してピン１７によって回転自在に結合されている。図３に示すように、ＬＣＤ１４の表示画面が側壁とほぼ平行な状態にあるとき、平板状部２ａ、２ｂは、表示画面の水平方向にほぼ平行にあり、かつ平板状部２ａ、２ｂは、表示画面の垂直方向に間隔をあけて配置されている。なお、実際には、ＬＣＤ１４は、若干正面側に傾いた状態にある。
【００２１】
このＬＣＤ１４の下端は、支持部１６に支持されている。支持部１６は、図１に示すように、アーム４ｂの外側の平板状部２ｂに、それの長さ方向に沿う回転軸１８を有している。この回転軸１８は、図３から明らかなように、駆動ピン１２ｂよりも幾分後方に位置している。この回転軸１８に、概略Ｌ字状の受け部材２０が回転自在に支持され、この受け部材２０に設けた支持ピン２２がＬＣＤ１４の下端部に挿入されている。なお図示していないが、アーム４ａの外側にも、同一の構成の支持部１６が設けられている。
【００２２】
ＬＣＤ１４の下部が支持部１６によって支持され、この支持部１６よりも上方にあるＬＣＤ１４の背面にアーム４ａ、４ｂの上端がピン１７によって結合され、これらアーム４ａ、４ｂの長孔８ａ、８ｂに挿通された駆動ピン１２ａ、１２ｂがギアボックス６に結合されている。従って、ピン１７、駆動ピン１２ａ、１２ｂ、支持部１６が各頂点に位置する三角形を形成している。
【００２３】
従って、図３に示すようにＬＣＤ１４がほぼ垂直な状態（若干、正面側に傾斜した状態）において、ギアボックス６が上昇を開始すると、アーム４ａ、４ｂの下端が駆動ピン１２ａ、１２ｂによって上方に直線状に駆動される。これによって、アーム４ａ、４ｂの上端が、支持部１６の回転軸１６を中心として円弧運動する。この運動に伴ってＬＣＤ１４の上端が平板状部２ａから離れる方向に傾斜する。最終的には図４に示す上昇点までギアボックスが上昇し、図４に示すような角度にまでＬＣＤ１４が傾斜する。ギアボックス６内のモータを適当に回転させることによって、所望の角度でＬＣＤ１４が傾斜した状態とすることができる。
【００２４】
ギアボックス６のモータの回転軸に設けたウオームがウオームギアに噛み合っているので、ウオームギアが自然に逆転することはなく、ＬＣＤ１４が所望の角度状態を維持する。
【００２５】
図４に示すような状態からギアボックス６のモータを逆転させると、ギアボックスが下降を開始し、駆動ピン１２ａ、１２ｂがアーム４ａ、４ｂを下方に直線状に駆動して、図３に示すように下降点までギアボックス６が降下し、ＬＣＤ１４は、ほぼ垂直状態になる。
【００２６】
ギアボックス６のモータを、遠隔制御装置によって正転、逆転させることは、周知技術によって容易に行えるので、遠隔制御装置によってモータを制御することによって、壁掛け装置に視聴者が手を触れずに、任意の角度にＬＣＤ１４を傾斜させることができる。
【００２７】
また、図３及び図４から明らかなように、ＬＣＤ１４が垂直状態にあるとき、ギアボックス６は下降点にある。この下降点は、ＬＣＤ１４の下部よりも上方であって、ＬＣＤ１４の上端よりも下方にある。ＬＣＤ１４が傾斜状態にあるとき、ギアボックス６は、上昇点にある。この上昇点は、ＬＣＤ１４の上端よりも下方にある。従って、ギアボックス６は、ＬＣＤ１４が傾斜状態と垂直状態との間で昇降しても、ＬＣＤ１４の上面及び下面からギアボックス６が突出することはなく、ギアボックス６がＬＣＤ１４の美観を損なうことはない。
【００２８】
ラック４ｂと支持部１６との間にある平板状部２ａ、２ｂ間に跨って、これらに垂直に垂直片部２４が形成されている。この垂直辺部２４におけるＬＣＤ１４の背面上部にアーム２６の一端部が回転自在に結合されている。同様に、ＬＣＤ１４の背面下部にアーム２８の一端部が回転自在に結合されている。これらアーム２６、２８の中途が、垂直辺部２４に回転自在に結合されている。
【００２９】
これらアーム２６、２８は、ＬＣＤ１４が垂直状態にあるときには、図１に示すように互いにほぼ一直線上に位置している。この状態から上述したようにＬＣＤ１４が傾斜していくと、アーム２６は、反時計方向に回転し、アーム２８は時計方向に回転する。そして、ＬＣＤ１４が傾斜状態にあるとき、図５に示すようにアーム２６、２８が１８０度よりも小さい所定の角度をなしている。このとき、アーム２６、２８の他端部は、垂直辺部２４から平板状部２ａ、２ｂに平行に突出している板状の受け部３０に接触している。その結果、アーム２６は反時計方向にそれ以上回転することはできず、アーム２８は時計方向にそれ以上回転することができない。従って、ＬＣＤ１４の傾斜状態がアーム２６、２８によって維持されており、この傾斜状態において、さらにＬＣＤ１４が平板状部２ａ、２ｂとＬＣＤ１４とがなす角度が大きくなるように、自然に傾斜することが阻止されている。
【００３０】
図示は省略しているが、アーム２６、２８は、もう１組、ラック４ａ側にも設けられている。
【００３１】
上記の実施の形態では、アーム２６、２８を設けたが、場合によっては不要である。また、上記の実施の形態では、２つのラック４ａ、４ｂと２つのピニオン６ａ、６ｂとを設けたが、ラック４ａとピニオン６ａまたはラック４ｂとピニオン６ｂのいずれかの組のみを設けることも可能である。上記の実施の形態では、駆動ピン１２ａ、１２ｂによってアーム８ａ、８ｂを駆動したが、長孔１０ａ、１０ｂを除去し、アーム８ａ、８ｂの下端をギアボックス６に回転自在に結合することも可能である。また、ギアボックス６が上昇するときに、ＬＣＤ１４を傾斜させ、ギアボックス６が下降するときに、ＬＣＤ１４を垂直状態にしたが、これに限ったものではなく、逆にギアボックス６が上昇するときにＬＣＤ１４を垂直状態にし、ギアボックス６が下降するときにＬＣＤ１４を傾斜させることもできる。支持部１６は、ラック４ａ、４ｂの外側に個別に設けたが、回転軸１８をラック４ａ、４ｂの外側に設け、これらによって回転自在に支持されるＬＣＤの水平方向に長いＬ字状の受け部材を設け、この受け部材の両端にそれぞれ支持ピン２２を設けることもできる。上記の実施の形態では、ＬＣＤ１４を使用したが、これに限ったものではなく、例えばＰＤＰ（プラズマディスプレイパネル）等の他の平板型表示装置を使用することもできる。上記の実施の形態では、固定部２を２つの平板状部２ａ、２ｂによって構成したが、固定部を例えばフレーム状に形成することもできるし、或いは１つの大型の板状部に形成することもできる。
【００３２】
【発明の効果】
以上のように、本発明によれば、平板型表示装置を自走する駆動部によって傾斜状態と垂直状態との間の任意の角度に傾斜させることができるので、遠隔制御によって、平板型表示装置の傾斜角度を任意に調整することができる。
【図面の簡単な説明】
【図１】本発明の１実施形態の壁掛け装置の斜視図である。
【図２】図１の壁掛け装置において使用しているギアボックスとラックとの関係を示す図である。
【図３】図１の壁掛け装置によってＬＣＤを垂直状態に保持した状態における駆動部とアームとの関係を示す側面図である。
【図４】図１の壁掛け装置によってＬＣＤを傾斜状態に保持した状態の駆動部とアームとの関係を示す側面図である。
【図５】図１の壁掛け装置によってＬＣＤを傾斜状態に保持した状態での２つのアームの状態を示す側面図である。
【符号の説明】
２  固定部
６  ギアボックス（自走式駆動部）
８ａ  ８ｂ  アーム
１６    支持部
【図１】
2004336603.tif 000003
【図２】
2004336603.tif 000004
【図３】
2004336603.tif 000005
【図４】
2004336603.tif 000006
【図５】
2004336603.tif 000007